(57)【特許請求の範囲】
【請求項１】
アンテナの本数を示す情報を取得する取得部と、
前記アンテナから送信される予め定められたデータチャネル領域の一部に配置される下りリンク制御チャネルとしてのｅＰＤＣＣＨ（ｅｎｈａｎｃｅｄ  Ｐｈｙｓｉｃａｌ Ｄｏｗｎｌｉｎｋ Ｃｏｎｔｒｏｌ Ｃｈａｎｎｅｌ）領域に、ＣＳＩ−ＲＳ（Ｃｈａｎｎｅｌ Ｓｔａｔｅ Ｉｎｆｏｒｍａｔｉｏｎ Ｒｅｆｅｒｅｎｃｅ Ｓｉｇｎａｌ）を配置するか否かを、前記アンテナの本数に応じて判定する判定部と、
前記判定部の判定によりＣＳＩ−ＲＳを配置しない場合、割り当てられたｅＰＤＣＣＨパケットと、ＣＲＳ（Ｃｅｌｌ−ｓｐｅｃｉｆｉｃ Ｒｅｆｅｒｅｎｃｅ Ｓｉｇｎａｌ）と、ＤＭＲＳ（Ｄｅｍｏｄｅｕｌａｔｉｏｎ Ｒｅｆｅｒｅｎｃｅ Ｓｉｇｎａｌ）と、を前記ｅＰＤＣＣＨ領域に配置し、前記判定部の判定によりＣＳＩ−ＲＳを配置する場合、割り当てられたｅＰＤＣＣＨパケットと、ＣＲＳと、ＤＭＲＳと、ＣＳＩ−ＲＳと、を前記ｅＰＤＣＣＨ領域に配置する配置部と、
を備え、
前記配置部は、
割り当てられたｅＰＤＣＣＨパケット、及び、該割り当てられたｅＰＤＣＣＨパケットを受信する端末のためのＤＭＲＳを、複数のリソースエレメントを含むＣＣＥ（Ｃｏｎｔｒｏｌ Ｃｈａｎｎｅｌ Ｅｌｅｍｅｎｔ）単位で前記ｅＰＤＣＣＨ領域に配置し、
前記判定部の判定によりＣＳＩ−ＲＳを配置する場合、ＰＲＢ（Ｐｈｙｓｉｃａｌ Ｒｅｓｏｕｒｃｅ Ｂｌｏｃｋ）ペア毎に２個以下の前記ＣＣＥを配置し、前記判定部の判定によりＣＳＩ−ＲＳを配置しない場合、ＰＲＢペア毎に３個以下の前記ＣＣＥを配置することを特徴とすることを特徴とする無線リソース割当装置。
【請求項２】
前記判定部は、前記アンテナの本数が２本以下である場合、ＣＳＩ−ＲＳを配置させず、前記アンテナの本数が２本を超える場合、ＣＳＩ−ＲＳを配置させると判定することを特徴とする請求項１に記載の無線リソース割当装置。
【請求項３】
前記配置部は、リソースエレメント単位で比較して周波数軸方向が増加するように、又は、リソースエレメント単位で比較して時間軸方向が増加するように、前記ＣＣＥを配置することを特徴とする請求項１又は請求項２に記載の無線リソース割当装置。
【請求項４】
前記配置部は、前記判定部の判定によりＣＳＩ−ＲＳを配置する場合、サブフレームの第１スロットのＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）シンボルＩＤ３以降又は４以降に、割り当てられたｅＰＤＣＣＨパケットを配置し、該割り当てられたｅＰＤＣＣＨパケットが配置された前記ＯＦＤＭシンボルＩＤを示す情報を、ブロードキャスト情報として端末に通知することを特徴とする請求項１から請求項３のいずれか一項に記載の無線リソース割当装置。
【請求項５】
コンピュータに、
アンテナの本数を示す情報を取得する手順と、
前記アンテナから送信される予め定められたデータチャネル領域の一部に配置される下りリンク制御チャネルとしてのｅＰＤＣＣＨ（ｅｎｈａｎｃｅｄ  Ｐｈｙｓｉｃａｌ Ｄｏｗｎｌｉｎｋ Ｃｏｎｔｒｏｌ Ｃｈａｎｎｅｌ）領域に、ＣＳＩ−ＲＳ（Ｃｈａｎｎｅｌ Ｓｔａｔｅ Ｉｎｆｏｒｍａｔｉｏｎ Ｒｅｆｅｒｅｎｃｅ Ｓｉｇｎａｌ）を配置するか否かを、前記アンテナの本数に応じて判定する手順と、
判定によりＣＳＩ−ＲＳを配置しない場合、割り当てられたｅＰＤＣＣＨパケットと、ＣＲＳ（Ｃｅｌｌ−ｓｐｅｃｉｆｉｃ Ｒｅｆｅｒｅｎｃｅ Ｓｉｇｎａｌ）と、ＤＭＲＳ（Ｄｅｍｏｄｅｕｌａｔｉｏｎ Ｒｅｆｅｒｅｎｃｅ Ｓｉｇｎａｌ）と、を前記ｅＰＤＣＣＨ領域に配置し、前記判定によりＣＳＩ−ＲＳを配置する場合、割り当てられたｅＰＤＣＣＨパケットと、ＣＲＳと、ＤＭＲＳと、ＣＳＩ−ＲＳと、を前記ｅＰＤＣＣＨ領域に配置する手順と、
割り当てられたｅＰＤＣＣＨパケット、及び、該割り当てられたｅＰＤＣＣＨパケットを受信する端末のためのＤＭＲＳを、複数のリソースエレメントを含むＣＣＥ（Ｃｏｎｔｒｏｌ Ｃｈａｎｎｅｌ Ｅｌｅｍｅｎｔ）単位で前記ｅＰＤＣＣＨ領域に配置する手順と、
前記判定によりＣＳＩ−ＲＳを配置する場合、ＰＲＢ（Ｐｈｙｓｉｃａｌ Ｒｅｓｏｕｒｃｅ Ｂｌｏｃｋ）ペア毎に２個以下の前記ＣＣＥを配置し、前記判定によりＣＳＩ−ＲＳを配置しない場合、ＰＲＢペア毎に３個以下の前記ＣＣＥを配置する手順と、
を実行させるための無線リソース割当プログラム。
【発明の詳細な説明】
【技術分野】
【０００１】
本発明は、無線リソース割当装置、及び無線リソース割当プログラムに関する。
【背景技術】
【０００２】
通信規格の一つであるＬＴＥ（Ｌｏｎｇ Ｔｅｒｍ Ｅｖｏｌｕｔｉｏｎ）の下りリンクでは、無線リソースの割り当てを端末に通知するために、下りリンク制御チャネル（Ｐｈｙｓｉｃａｌ Ｄｏｗｎｌｉｎｋ Ｃｏｎｔｒｏｌ Ｃｈａｎｎｅｌ：ＰＤＣＣＨ）が用いられている。この下りリンク制御チャネルと、無線リソースが実際に割り当てられるデータチャネルである下りリンク共有チャネル (Ｐｈｙｓｉｃａｌ Ｄｏｗｎｌｉｎｋ Ｓｈａｒｅｄ Ｃｈａｎｎｅｌ：ＰＤＳＣＨ)とは、一対一で対応している。
【０００３】
また、スループット（通信容量）の向上を図るため、ＬＴＥ−Ａｄｖａｎｃｅｄ(ＬＴＥ Ｒｅｌ．１０以降)では、下りリンクにおけるＭＩＭＯ(Ｍｕｌｔｉｐｌｅ‐Ｉｎｐｕｔ Ｍｕｌｔｉｐｌｅ‐Ｏｕｔｐｕｔ)、キャリア・アグリゲーション（Ｃａｒｒｉｅｒ Ａｇｇｒｅｇａｔｉｏｎ：ＣＡ）、多地点協調 (Ｃｏｏｒｄｉｎａｔｅｄ Ｍｕｌｔｉｐｏｉｎｔ Ｔｒａｎｓｍｉｓｓｉｏｎ：ＣｏＭＰ)などの機能拡張が検討されている（非特許文献１及び２参照）。
【先行技術文献】
【非特許文献】
【０００４】
【非特許文献１】3GPP, TS 36.211 V9.1.0, “Evolved Universal Terrestrial Radio Access (E-UTRA); Physical Channels and Modulation (Release 9),” March 2010.
【非特許文献２】3GPP, TS 36.213 V9.1.0, “Evolved Universal Terrestrial Radio Access (E-UTRA); Physical layer procedures (Release 9),” March 2010.
【発明の概要】
【発明が解決しようとする課題】
【０００５】
しかしながら、ＭＩＭＯ、キャリア・アグリゲーション（ＣＡ）、多地点協調（ＣｏＭＰ)などの機能拡張がされた場合、同一サブフレームのデータチャネル領域に割り当てられる端末の台数が急増するため、ＬＴＥ Ｒｅｌ．１０までの下りリンク制御チャネル（ＰＤＣＣＨ）の容量が不足するという問題がある。
【０００６】
この問題を解決するために、データチャネル領域の一部に配置される下りリンク制御チャネルであって、ＬＴＥ Ｒｅｌ．１０までのＰＤＣＣＨと比較して高度化した下りリンク制御チャネルが、提案されている。しかしながら、この高度化した下りリンク制御チャネルは、データチャネル領域の一部に配置されるため、データチャネルのスループットが低下してしまうという問題がある。
【０００７】
本発明は、前記の諸点に鑑みてなされたものであり、下りリンク制御チャネルの容量が不足しないようにし、データチャネルのスループットの低下を防ぐことができる無線リソース割当装置、及び無線リソース割当プログラムを提供することを目的とする。
【課題を解決するための手段】
【０００８】
本発明は、上記の課題を解決するためになされたものであり、アンテナの本数を示す情報を取得する取得部と、前記アンテナから送信される予め定められたデータチャネル領域の一部に配置される下りリンク制御チャネルとしてのｅＰＤＣＣＨ（ｅｎｈａｎｃｅｄ  Ｐｈｙｓｉｃａｌ Ｄｏｗｎｌｉｎｋ Ｃｏｎｔｒｏｌ Ｃｈａｎｎｅｌ）領域に、ＣＳＩ−ＲＳ（Ｃｈａｎｎｅｌ Ｓｔａｔｅ Ｉｎｆｏｒｍａｔｉｏｎ Ｒｅｆｅｒｅｎｃｅ Ｓｉｇｎａｌ）を配置するか否かを、前記アンテナの本数に応じて判定する判定部と、ＣＳＩ−ＲＳを配置しないと前記判定部が判定した場合、割り当てられたｅＰＤＣＣＨパケットと、ＣＲＳ（Ｃｅｌｌ−ｓｐｅｃｉｆｉｃ Ｒｅｆｅｒｅｎｃｅ Ｓｉｇｎａｌ）と、ＤＭＲＳ（Ｄｅｍｏｄｅｕｌａｔｉｏｎ Ｒｅｆｅｒｅｎｃｅ Ｓｉｇｎａｌ）と、を前記ｅＰＤＣＣＨ領域に配置し、ＣＳＩ−ＲＳを配置すると前記判定部が判定した場合、割り当てられたｅＰＤＣＣＨパケットと、ＣＲＳと、ＤＭＲＳと、ＣＳＩ−ＲＳと、を前記ｅＰＤＣＣＨ領域に配置する配置部と、を備えることを特徴とする無線リソース割当装置である。
【０００９】
また、本発明は、前記判定部が、前記アンテナの本数が２本以下である場合、ＣＳＩ−ＲＳを配置しないと判定し、前記アンテナの本数が２本を超える場合、ＣＳＩ−ＲＳを配置すると判定することを特徴とする無線リソース割当装置である。
【００１０】
また、本発明は、前記配置部が、割り当てられたｅＰＤＣＣＨパケット、及び、該割り当てられたｅＰＤＣＣＨパケットを受信する端末のためのＤＭＲＳを、複数のリソースエレメントを含むＣＣＥ（Ｃｏｎｔｒｏｌ Ｃｈａｎｎｅｌ Ｅｌｅｍｅｎｔ）単位で前記ｅＰＤＣＣＨ領域に配置する無線リソース割当装置である。
【００１１】
また、本発明は、前記配置部が、ＣＳＩ−ＲＳを配置すると前記判定部が判定した場合、ＰＲＢ（Ｐｈｙｓｉｃａｌ Ｒｅｓｏｕｒｃｅ Ｂｌｏｃｋ）ペア毎に２個以下の前記ＣＣＥを配置し、ＣＳＩ−ＲＳを配置しないと前記判定部が判定した場合、ＰＲＢペア毎に３個以下の前記ＣＣＥを配置する無線リソース割当装置である。
【００１２】
また、本発明は、前記配置部が、リソースエレメント単位で比較して周波数軸方向に長くなるように、又は、リソースエレメント単位で比較して時間軸方向に長くなるように、前記ＣＣＥを配置することを特徴とする無線リソース割当装置である。
【００１３】
また、本発明は、前記配置部が、ＣＳＩ−ＲＳを配置すると前記判定部が判定した場合、サブフレームの第１スロットのＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）シンボルＩＤ３以降又は４以降に、割り当てられたｅＰＤＣＣＨパケットを配置し、該割り当てられたｅＰＤＣＣＨパケットが配置された前記ＯＦＤＭシンボルＩＤを示す情報を、ブロードキャスト情報として端末に通知することを特徴とする無線リソース割当装置である。
【００１４】
また、本発明は、コンピュータに、アンテナの本数を示す情報を取得する手順と、前記アンテナから送信される予め定められたデータチャネル領域の一部に配置される下りリンク制御チャネルとしてのｅＰＤＣＣＨ（ｅｎｈａｎｃｅｄ  Ｐｈｙｓｉｃａｌ Ｄｏｗｎｌｉｎｋ Ｃｏｎｔｒｏｌ Ｃｈａｎｎｅｌ）領域に、ＣＳＩ−ＲＳ（Ｃｈａｎｎｅｌ Ｓｔａｔｅ Ｉｎｆｏｒｍａｔｉｏｎ Ｒｅｆｅｒｅｎｃｅ Ｓｉｇｎａｌ）を配置するか否かを、前記アンテナの本数に応じて判定する手順と、ＣＳＩ−ＲＳを配置しないと判定した場合、割り当てられたｅＰＤＣＣＨパケットと、ＣＲＳ（Ｃｅｌｌ−ｓｐｅｃｉｆｉｃ Ｒｅｆｅｒｅｎｃｅ Ｓｉｇｎａｌ）と、ＤＭＲＳ（Ｄｅｍｏｄｅｕｌａｔｉｏｎ Ｒｅｆｅｒｅｎｃｅ Ｓｉｇｎａｌ）と、を前記ｅＰＤＣＣＨ領域に配置し、ＣＳＩ−ＲＳを配置すると判定した場合、割り当てられたｅＰＤＣＣＨパケットと、ＣＲＳと、ＤＭＲＳと、ＣＳＩ−ＲＳと、を前記ｅＰＤＣＣＨ領域に配置する手順と、を実行させるための無線リソース割当プログラムである。
【発明の効果】
【００１５】
本発明によれば、判定部は、アンテナから送信されるデータチャネル領域の一部に配置される下りリンク制御チャネルとしてのｅＰＤＣＣＨ領域に、ＣＳＩ−ＲＳを配置するか否かを、アンテナの本数に応じて判定する。これにより、無線リソース割当装置は、下りリンク制御チャネルの容量が不足しないようにし、データチャネルのスループットの低下を防ぐことができる。
【図面の簡単な説明】
【００１６】
【図１】本発明の一実施形態における、無線リソース割当装置の構成例を示すブロック図である。
【図２】本発明の一実施形態における、データチャネル領域の一部にｅＰＤＣＣＨ領域が配置された場合のサブフレームの例を示す図である。
【図３】本発明の一実施形態における、送信側のアンテナが２本の場合のＰＲＢペアの構成例を示す図である。
【図４】本発明の一実施形態における、送信側のアンテナが４又は８本であり、且つ、ＯＦＤＭシンボルＩＤが３から始まるｅＰＤＣＣＨ領域にｅＣＣＥが配置される場合のＰＲＢペアの構成例を示す図である。
【図５】本発明の一実施形態における、送信側のアンテナが４又は８本であり、且つ、ＯＦＤＭシンボルＩＤが４から始まるｅＰＤＣＣＨ領域にｅＣＣＥが配置される場合のＰＲＢペアの構成例を示す図である。
【発明を実施するための形態】
【００１７】
本発明の一実施形態について図面を参照して詳細に説明する。図１には、無線リソース割当装置の構成例が、ブロック図により示されている。以下、データチャネル領域の一部に配置される下りリンク制御チャネルであって、ＬＴＥ Ｒｅｌ．１０までのＰＤＣＣＨと比較して高度化した下りリンク制御チャネルを、「ｅＰＤＣＣＨ（ｅｎｈａｎｃｅｄ  ＰＤＣＣＨ）」という。
【００１８】
以下、１個のＯＦＤＭシンボルと１個のサブキャリアとにより区分される領域を、「リソースエレメント（Ｒｅｓｏｕｒｃｅ Ｅｌｅｍｅｎｔ：ＲＥ)」という。また、以下、複数（例えば、３６個）のリソースエレメントから構成されるＣＣＥ（Ｃｏｎｔｒｏｌ Ｃｈａｎｎｅｌ Ｅｌｅｍｅｎｔ）を、「ｅＣＣＥ（ｅｎｈａｎｃｅｄ  ＣＣＥ）」という。
【００１９】
また、以下、予め定められたデータチャネル領域において、各種の参照信号（Ｒｅｆｅｒｅｎｃｅ Ｓｉｇｎａｌ）、及び、端末毎に割り当てられたｅＰＤＣＣＨパケットを含む領域を、「ｅＰＤＣＣＨ領域」という。ここで、ｅＰＤＣＣＨパケットには、無線リソースの割り当てを端末（不図示）に通知するための制御情報が含まれる。
【００２０】
ｅＰＤＣＣＨ領域は、ｅＰＤＣＣＨ領域を配置する物理リソースブロックとして予め定められたＰＲＢ（Ｐｈｙｓｉｃａｌ Ｒｅｓｏｕｒｃｅ Ｂｌｏｃｋ）ペアに配置されることで、データチャネル領域の一部に配置される。ここで、ＰＲＢは、１２個のサブキャリアと１個のスロットとにより区分される領域である。また、ＰＲＢペアは、連続する２個のスロットにおける一組のＰＲＢにより区分される領域である。ｅＰＤＣＣＨ領域の詳細については、図２〜図５を用いて後述する。
【００２１】
無線リソース割当装置１００は、ｅＰＤＣＣＨ領域が配置される物理リソースブロックとして予め定められたＰＲＢペアに、各種の参照信号と端末毎に割り当てられたｅＰＤＣＣＨパケットとを含むｅＰＤＣＣＨ領域を、送信側（基地局側）のアンテナの本数に応じて配置する。
【００２２】
無線リソース割当装置１００は、取得部１１０と、判定部１２０と、配置部１３０とを備える。取得部１１０は、送信側（基地局側）のアンテナの本数を示す情報を取得する。ここで、送信側のアンテナの本数を示す情報は、例えば、記憶部（不図示）に予め記憶されている。
【００２３】
判定部１２０には、送信側のアンテナの本数を示す情報が、取得部１１０から入力される。判定部１２０は、送信側のアンテナから送信される予め定められたデータチャネル領域の一部に配置されるｅＰＤＣＣＨ領域に、ＣＳＩ−ＲＳ（Ｃｈａｎｎｅｌ Ｓｔａｔｅ Ｉｎｆｏｒｍａｔｉｏｎ Ｒｅｆｅｒｅｎｃｅ Ｓｉｇｎａｌ）を配置するか否かを、送信側のアンテナの本数に応じて判定する。
【００２４】
判定部１２０は、アンテナの本数が２本以下である（例えば、２本である）場合、ｅＰＤＣＣＨ領域にＣＳＩ−ＲＳを配置しないと判定する。一方、判定部１２０は、アンテナの本数が２本を超える（例えば、４本又は８本である）場合、ｅＰＤＣＣＨ領域にＣＳＩ−ＲＳを配置すると判定する。判定部１２０は、この判定結果を示す情報を、配置部１３０に出力する。
【００２５】
配置部１３０は、ｅＰＤＣＣＨ領域にＣＳＩ−ＲＳを配置しないと判定部１２０が判定した場合、端末毎に割り当てられたｅＰＤＣＣＨパケットと、ＣＲＳ（Ｃｅｌｌ−ｓｐｅｃｉｆｉｃ Ｒｅｆｅｒｅｎｃｅ Ｓｉｇｎａｌ）と、ＤＭＲＳ（Ｄｅｍｏｄｅｕｌａｔｉｏｎ Ｒｅｆｅｒｅｎｃｅ Ｓｉｇｎａｌ）と、をｅＰＤＣＣＨ領域に配置する。一方、配置部１３０は、ｅＰＤＣＣＨ領域にＣＳＩ−ＲＳを配置すると判定部１２０が判定した場合、端末毎に割り当てられたｅＰＤＣＣＨパケットと、ＣＲＳと、ＤＭＲＳと、ＣＳＩ−ＲＳと、をｅＰＤＣＣＨ領域に配置する。
【００２６】
また、配置部１３０は、ｅＰＤＣＣＨ領域にＣＳＩ−ＲＳを配置すると判定部１２０が判定した場合、ＰＲＢペア毎に２個以下のｅＣＣＥを配置する。一方、配置部１３０は、ｅＰＤＣＣＨ領域にＣＳＩ−ＲＳを配置しないと判定部１２０が判定した場合、ＰＲＢペア毎に３個以下のｅＣＣＥを配置する。
【００２７】
ここで、配置部１３０は、ＰＲＢペアのｅＰＤＣＣＨ領域において、リソースエレメント単位で比較して周波数軸方向に長くなるように、又は、リソースエレメント単位で比較して時間軸方向に長くなるように、ｅＣＣＥを配置してもよい。
【００２８】
配置部１３０は、端末毎に割り当てられたｅＰＤＣＣＨパケット、及び、この割り当てられたｅＰＤＣＣＨパケットを受信する端末のためのＤＭＲＳを、ｅＣＣＥ単位でｅＰＤＣＣＨ領域に配置する。また、配置部１３０は、ｅＰＤＣＣＨ領域にＣＳＩ−ＲＳを配置すると判定部１２０が判定した場合、サブフレームの前半のスロット（以下、「第１スロット」という）のＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）シンボルＩＤ３以降又は４以降に、端末毎に割り当てられたｅＰＤＣＣＨパケットを配置する。また、配置部１３０は、端末毎に割り当てられたｅＰＤＣＣＨパケットが配置されたｅＰＤＣＣＨ領域の先頭のＯＦＤＭシンボルＩＤ（スタートＯＦＤＭシンボルＩＤ）を示す情報を、ブロードキャスト情報として端末（不図示）に通知する。
【００２９】
図２には、データチャネル領域の一部にｅＰＤＣＣＨ領域が配置された場合のサブフレームの例が示されている。縦軸は、周波数軸である。また、横軸は、時間軸である。サブフレームが送信される時間は、第１スロットと、後半のスロット（以下、「第２スロット」という）とに区分される。さらに、各スロットは、７個のＯＦＤＭシンボル、すなわち、ＯＦＤＭシンボルＩＤ０〜６に、それぞれ区分される。
【００３０】
第１スロットの前半の１〜３個のＯＦＤＭシンボルにより区分される領域には、無線リソースの割り当てを端末に通知するための下りリンク制御チャネルとして、ＬＴＥ Ｒｅｌ．１０までのＰＤＣＣＨが配置されてもよい。また、サブフレームの残りのＯＦＤＭシンボル、すなわち、１１〜１３個のＯＦＤＭシンボルにより区分される領域は、データチャネル領域と定められる。データチャネル領域には、下りリンク共有チャネル（ＰＤＳＣＨ）が配置される。さらに、データチャネル領域の一部（下りリンク共有チャネル（ＰＤＳＣＨ）以外）には、ｅＰＤＣＣＨ領域が配置されてもよい。図２では、左から２番目のサブフレームのデータチャネル領域の一部に、ＰＤＳＣＨ及びｅＰＤＣＣＨ領域が配置されている。
【００３１】
図３には、送信側のアンテナが２本の場合のＰＲＢペアの構成例が示されている。縦軸は、キャリアＩＤを示す周波数軸である。また、横軸は、ＯＦＤＭシンボルＩＤを示す時間軸である。
【００３２】
図３では、ＰＲＢ２００は、第１スロットのＯＦＤＭシンボルＩＤ０〜６と、サブキャリアのキャリアＩＤ０〜１１とにより区分される領域である。また、ＰＲＢ２１０は、第２スロットのＯＦＤＭシンボルＩＤ０〜６と、サブキャリアのキャリアＩＤ０〜１１とにより区分される領域である。また、ｅＰＤＣＣＨ領域は、ＰＲＢペアのうち、ＰＲＢ２００のＯＦＤＭシンボルＩＤ３〜６により区分される領域と、ＰＲＢ２１０のＯＦＤＭシンボルＩＤ０〜６により区分される領域である。
【００３３】
図３では、ｅＰＤＣＣＨ領域には、ＣＲＳが配置されている。また、ｅＰＤＣＣＨ領域には、ＤＭＲＳが配置されている。また、ｅＰＤＣＣＨ領域には、３個のｅＣＣＥ（端末毎に割り当てられたｅＰＤＣＣＨパケットの少なくとも一部）が配置されている。より具体的には、リソースエレメント「ａ」から構成されるｅＣＣＥ（ａ）が、ｅＰＤＣＣＨ領域に配置されている。また、リソースエレメント「ｂ」から構成されるｅＣＣＥ（ｂ）が、ｅＰＤＣＣＨ領域に配置されている。また、リソースエレメント「ｃ」から構成されるｅＣＣＥ（ｃ）が、ｅＰＤＣＣＨ領域に配置されている。
【００３４】
ここで、配置部１３０は、ｅＰＤＣＣＨ領域において、リソースエレメント単位で比較して時間軸方向に長くなるように、ｅＣＣＥを配置する。例えば、配置部１３０は、キャリアＩＤよりもＯＦＤＭシンボルＩＤを優先的にインクリメントすることにより、ｅＰＤＣＣＨ領域において、リソースエレメント単位で比較して時間軸方向に長くなるように、ｅＣＣＥを配置する。なお、配置部１３０は、ｅＰＤＣＣＨ領域において、リソースエレメント単位で比較して周波数軸方向に長くなるように、ｅＣＣＥを配置してもよい。
【００３５】
図４には、送信側のアンテナが４又は８本であり、且つ、ＯＦＤＭシンボルＩＤが３から始まるｅＰＤＣＣＨ領域にｅＣＣＥが配置される場合のＰＲＢペアの構成例が示されている。縦軸は、キャリアＩＤを示す周波数軸である。また、横軸は、ＯＦＤＭシンボルＩＤを示す時間軸である。
【００３６】
図４では、ＰＲＢ２００は、第１スロットのＯＦＤＭシンボルＩＤ０〜６と、サブキャリアのキャリアＩＤ０〜１１とにより区分される領域である。また、ＰＲＢ２１０は、第２スロットのＯＦＤＭシンボルＩＤ０〜６と、サブキャリアのキャリアＩＤ０〜１１とにより区分される領域である。また、ｅＰＤＣＣＨ領域は、ＰＲＢペアのうち、ＰＲＢ２００のＯＦＤＭシンボルＩＤ３〜６により区分される領域と、ＰＲＢ２１０のＯＦＤＭシンボルＩＤ０〜６により区分される領域である。
【００３７】
図４では、ｅＰＤＣＣＨ領域には、ＣＲＳが配置されている。また、ｅＰＤＣＣＨ領域には、ＤＭＲＳ及びＣＳＩ−ＲＳが配置されている。また、ｅＰＤＣＣＨ領域には、２個のｅＣＣＥ（端末毎に割り当てられたｅＰＤＣＣＨパケットの少なくとも一部）が配置されている。より具体的には、リソースエレメント「ａ」から構成されるｅＣＣＥ（ａ）が、ｅＰＤＣＣＨ領域に配置されている。また、リソースエレメント「ｂ」から構成されるｅＣＣＥ（ｂ）が、ｅＰＤＣＣＨ領域に配置されている。
【００３８】
ここで、配置部１３０は、ｅＰＤＣＣＨ領域において、リソースエレメント単位で比較して周波数軸方向に長くなるように、ｅＣＣＥを配置する。例えば、配置部１３０は、ＯＦＤＭシンボルＩＤよりもキャリアＩＤを優先的にインクリメントすることにより、ｅＰＤＣＣＨ領域において、リソースエレメント単位で比較して周波数軸方向に長くなるように、ｅＣＣＥを配置する。また、例えば、配置部１３０は、ＯＦＤＭシンボルＩＤよりもキャリアＩＤを優先的にディクリメントすることにより、ｅＰＤＣＣＨ領域において、リソースエレメント単位で比較して周波数軸方向に長くなるように、ｅＣＣＥを配置する。なお、配置部１３０は、ｅＰＤＣＣＨ領域において、リソースエレメント単位で比較して時間軸方向に長くなるように、ｅＣＣＥを配置してもよい。
【００３９】
また、配置部１３０は、ｅＰＤＣＣＨ領域において、端末毎に割り当てられたｅＰＤＣＣＨパケット（ｅＣＣＥ）が配置された先頭のＯＦＤＭシンボルＩＤ３を示す情報を、ブロードキャスト情報として端末に通知する。
【００４０】
図５には、送信側のアンテナが４又は８本であり、且つ、ＯＦＤＭシンボルＩＤが４から始まるｅＰＤＣＣＨ領域にｅＣＣＥが配置される場合のＰＲＢペアの構成例が示されている。縦軸は、キャリアＩＤを示す周波数軸である。また、横軸は、ＯＦＤＭシンボルＩＤを示す時間軸である。
【００４１】
図５では、ＰＲＢ２００は、第１スロットのＯＦＤＭシンボルＩＤ０〜６と、サブキャリアのキャリアＩＤ０〜１１とにより区分される領域である。また、ＰＲＢ２１０は、第２スロットのＯＦＤＭシンボルＩＤ０〜６と、サブキャリアのキャリアＩＤ０〜１１とにより区分される領域である。また、ｅＰＤＣＣＨ領域は、ＰＲＢペアのうち、ＰＲＢ２００のＯＦＤＭシンボルＩＤ４〜６により区分される領域と、ＰＲＢ２１０のＯＦＤＭシンボルＩＤ０〜６により区分される領域である。
【００４２】
図５では、ｅＰＤＣＣＨ領域には、ＣＲＳが配置されている。また、ｅＰＤＣＣＨ領域には、ＤＭＲＳ及びＣＳＩ−ＲＳが配置されている。また、ｅＰＤＣＣＨ領域には、２個のｅＣＣＥ（端末毎に割り当てられたｅＰＤＣＣＨパケットの少なくとも一部）が配置されている。より具体的には、リソースエレメント「ａ」から構成されるｅＣＣＥ（ａ）が、ｅＰＤＣＣＨ領域に配置されている。また、リソースエレメント「ｂ」から構成されるｅＣＣＥ（ｂ）が、ｅＰＤＣＣＨ領域に配置されている。
【００４３】
ここで、配置部１３０は、ｅＰＤＣＣＨ領域において、リソースエレメント単位で比較して周波数軸方向に長くなるように、ｅＣＣＥを配置する。例えば、配置部１３０は、ＯＦＤＭシンボルＩＤよりもキャリアＩＤを優先的にインクリメントすることにより、ｅＰＤＣＣＨ領域において、周波数軸方向に長くなるようにｅＣＣＥを配置する。また、例えば、配置部１３０は、ＯＦＤＭシンボルＩＤよりもキャリアＩＤを優先的にディクリメントすることにより、ｅＰＤＣＣＨ領域において、リソースエレメント単位で比較して周波数軸方向に長くなるようにｅＣＣＥを配置する。なお、配置部１３０は、ｅＰＤＣＣＨ領域において、リソースエレメント単位で比較して時間軸方向に長くなるように、ｅＣＣＥを配置してもよい。
【００４４】
また、配置部１３０は、ｅＰＤＣＣＨ領域において、端末毎に割り当てられたｅＰＤＣＣＨパケット（ｅＣＣＥ）が配置された先頭のＯＦＤＭシンボルＩＤ４を示す情報を、ブロードキャスト情報として端末に通知する。
【００４５】
以上のように、無線リソース割当装置１００は、アンテナの本数（ポート数）を示す情報を取得する取得部１１０と、前記アンテナから送信される予め定められたデータチャネル領域の一部に配置される下りリンク制御チャネルとしてのｅＰＤＣＣＨ領域に、ＣＳＩ−ＲＳを配置するか否かを、前記アンテナの本数に応じて判定する判定部１２０と、ＣＳＩ−ＲＳを配置しないと判定部１２０が判定した場合、割り当てられたｅＰＤＣＣＨパケットと、ＣＲＳと、ＤＭＲＳと、を前記ｅＰＤＣＣＨ領域に配置し、ＣＳＩ−ＲＳを配置すると判定部１２０が判定した場合、割り当てられたｅＰＤＣＣＨパケットと、ＣＲＳと、ＤＭＲＳと、ＣＳＩ−ＲＳと、を前記ｅＰＤＣＣＨ領域に配置する配置部１３０と、を備える。
この構成により、判定部１２０は、アンテナから送信される予め定められたデータチャネル領域の一部に配置される下りリンク制御チャネルとしてのｅＰＤＣＣＨ領域に、ＣＳＩ−ＲＳを配置するか否かを、前記アンテナの本数に応じて判定する。例えば、送信側のアンテナの本数が２本である場合、ｅＰＤＣＣＨ領域における周波数ダイバーシチゲインのほうが、ｅＰＤＣＣＨ領域におけるビームフォーミングゲインよりも大きくなると予想される。したがって、無線リソース割当装置１００は、ｅＰＤＣＣＨ領域が配置されたＰＲＢペアにおけるＣＳＩ−ＲＳベースのチャネル品質が判らなくても、ｅＰＤＣＣＨ領域が配置されていないデータチャネル領域におけるＣＳＩ−ＲＳをベースに取得した、システム帯域幅全体におけるチャネル品質を示す情報（Ｗｉｄｅｂａｎｄ  ＣＱＩ）さえ判れば、分散的に配置されたｅＰＤＣＣＨのチャネル品質を知ることができる。これにより、無線リソース割当装置１００は、下りリンク制御チャネル（ｅＰＤＣＣＨ、及びＰＤＣＣＨ）の容量が不足しないようにし、データチャネルのスループットの低下を防ぐことができる。
【００４６】
また、無線リソース割当装置１００は、チャネル品質を測定するためのＣＳＩ−ＲＳをｅＰＤＣＣＨ領域に配置しないことにより、ＰＲＢペア毎に３個のｅＣＣＥ、すなわち、割り当てられたｅＰＤＣＣＨパケットの少なくとも一部を、ｅＰＤＣＣＨ領域に配置することができる。これにより、無線リソース割当装置１００は、無線リソースにおけるｅＰＤＣＣＨのオーバーヘッドを低減させることができる。
【００４７】
また、無線リソース割当装置１００は、周波数スケジューリングが可能である。これにより、無線リソース割当装置１００は、端末の制御チャネルへの干渉を低減させることができる。
【００４８】
また、判定部１２０は、前記アンテナの本数が２本以下である場合、ＣＳＩ−ＲＳを配置しないと判定し、前記アンテナの本数が２本を超える場合、ＣＳＩ−ＲＳを配置すると判定する。
【００４９】
また、配置部１３０は、割り当てられたｅＰＤＣＣＨパケット、及び、該割り当てられたｅＰＤＣＣＨパケットを受信する端末のためのＤＭＲＳを、複数のリソースエレメントを含むＣＣＥであるｅＣＣＥ単位で前記ｅＰＤＣＣＨ領域に配置する。
【００５０】
また、配置部１３０は、ＣＳＩ−ＲＳを配置すると判定部１２０が判定した場合、ＰＲＢペア毎に２個以下の前記ｅＣＣＥを配置し、ＣＳＩ−ＲＳを配置しないと判定部１２０が判定した場合、ＰＲＢペア毎に３個以下の前記ｅＣＣＥを配置する。
【００５１】
また、配置部１３０は、リソースエレメント単位で比較して周波数軸方向に長くなるように、又は、リソースエレメント単位で比較して時間軸方向に長くなるように、前記ＣＣＥを配置する。
【００５２】
また、配置部１３０は、ＣＳＩ−ＲＳを配置すると前記判定部が判定した場合、サブフレームの第１スロットのＯＦＤＭシンボルＩＤ３以降又は４以降に、割り当てられたｅＰＤＣＣＨパケットを配置し、該割り当てられたｅＰＤＣＣＨパケットが配置された前記ＯＦＤＭシンボルＩＤを示す情報を、ブロードキャスト情報として端末に通知する。
これにより、基地局（ｅｖｏｌｕｔｉｏｎａｌ Ｎｏｄｅ Ｂ：ｅＮＢ）毎に異なるスタート（先頭）ＯＦＤＭシンボルＩＤ（例えば、３又は４）からｅＣＣＥを配置することにより、無線リソース割当装置１００は、ｅＣＣＥ単位で配置されたｅＰＤＣＣＨ同士の干渉を回避させることができる。
【００５３】
以上、この発明の実施形態について図面を参照して詳述してきたが、具体的な構成はこの実施形態に限られるものではなく、この発明の要旨を逸脱しない範囲の設計等も含まれる。
【００５４】
例えば、無線リソース割当装置１００は、ＭＩＭＯ、キャリア・アグリゲーション、多地点協調（例えば、ＣｏＭＰシナリオ４以降）に適用されてもよい。
【００５５】
なお、上記に説明した無線リソース割当装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００５６】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００５８】
１００…無線リソース割当装置、１１０…取得部、１２０…判定部、１３０…配置部、２００…ＰＲＢ、２１０…ＰＲＢ
【図１】
0005871626.tif 000002
【図２】
0005871626.tif 000003
【図３】
0005871626.tif 000004
【図４】
0005871626.tif 000005
【図５】
0005871626.tif 000006